(57)【要約】【課題】  本発明は多機能LED照明器具を開示した。【解決手段】多機能LED照明器具はLED取付箱と前記LED取付箱の中に設置される動力チャンバを含み、前記LED取付箱が壁と第一吊り天井板との間の中間チャンバの中に設置され、前記動力チャンバの中には動力装置が設けられ、前記動力装置が正方向と逆方向に回転できるモータを含み、前記動力チャンバの中には切換装置が設けられ、前記切換装置がカムを含む；本発明は構成が簡単で、操作が便利で、本装置を使用する時、本装置を屋根と天井との間の隙に取り付け、LED照明器具を使用しない時、本装置は自動的に収納でき、部屋にあるスペースを取らなく、使用する時は始動して自動的に張り出すことができ、照明器具により部屋全体の美観を損ねることを防止する。【選択図】図１
2020149958.tif 000002
【特許請求の範囲】
【請求項１】
LED取付箱と前記LED取付箱の中に設置される動力チャンバを含み、前記LED取付箱が壁と第一吊り天井板との間の中間チャンバの中に設置され、前記動力チャンバの中には動力装置が設けられ、前記動力装置が正方向と逆方向に回転できるモータを含み、前記動力チャンバの中には切換装置が設けられ、前記切換装置がカムを含み、前記切換装置が前記動力装置と伝動できるように接続され、前記動力チャンバの中には吊り天井板転位装置が設けられ、前記吊り天井板転位装置が前記切換装置の中の前記カムと係合され、前記吊り天井板転位装置の中には定位機構が設けられ、前記LED取付箱の中にはランプ収納チャンバが設けられ、前記ランプ収納チャンバの中にはLEDライト張出装置が設けられ、前記LEDライト張出装置が前記切換装置と伝動できるように接続され、前記LEDライト張出装置が第二吊り天井板を含み、前記LEDライト張出装置の中にはLEDランプが装着され、前記LEDランプを取り替えることにより、異なる需要に対応できることを特徴とする多機能LED照明器具。
【請求項２】
前記動力装置は前記LED取付箱の中に設置される前記動力チャンバを含み、前記動力チャンバが下に開口し、前記動力チャンバの左壁には前記モータが固定的に設けられ、前記モータの上端には動力軸が動力が伝達できるように接続され、前記動力軸の上端が前記動力チャンバの頂壁と回転できるように係合され、前記動力軸には動力ギヤが固定的に設けられ、前記動力軸には前記動力ギヤの下側に位置する扇形ベベルギヤが固定的に設けられることを特徴とする請求項１に記載の多機能LED照明器具。
【請求項３】
前記切換装置は前記動力チャンバの後壁に固定的に設置されるカム軸固定ブロックを含み、前記カム軸固定ブロックの中にはカム軸が左右に貫通して回転できるように設けられ、前記カム軸の左端にはカム伝動ベベルギヤが固定的に設けられ、前記カム軸の右端には前記カムが固定的に設けられ、前記動力チャンバの後壁には前記カム軸固定ブロックの上側に位置する軸変位固定板が固定的に設けられ、前記軸変位固定板の右端面には右に開口した軸変位スライダスライド溝が設けられ、前記軸変位スライダスライド溝の中には軸変位スライダがスライドできるように設けられ、前記軸変位スライダの上端面と前記軸変位スライダスライド溝の頂壁との間がスライダ復帰ばねにより固定的に接続され、前記軸変位スライダの右端面には軸固定板が固定的に設けられ、前記軸固定板の中には切換軸が回転できるように設けられ、前記切換軸の上端には切換ギヤが固定的に設けられ、前記切換軸の下端には軸変位頂板が回転できるように設けられ、前記軸変位頂板の下端面が前記カムの上端面と当接し、前記動力チャンバの頂壁には前記切換軸の右側に位置する中間伝動軸が回転できるように設けられ、前記中間伝動軸には中間回転ギヤが固定的に設けられ、前記中間伝動軸の下端には切換伝動ベベルギヤが固定的に設けられ、前記切換伝動ベベルギヤの下端面の中には下に開口した摩擦伝動孔が設けられることを特徴とする請求項１に記載の多機能LED照明器具。
【請求項４】
前記吊り天井板転位装置は前記動力チャンバの後壁に固定的に設置される摩擦伝動軸固定ブロックを含み、前記摩擦伝動軸固定ブロックの中には摩擦伝動軸が上下に貫通して回転できるように設けられ、前記摩擦伝動軸の上側が前記摩擦伝動孔と摩擦により係合され、前記摩擦伝動軸の下端には転位ばね箱が固定的に設けられ、前記転位ばね箱の中には下に開口した転位ばねチャンバが設けられ、前記転位ばねチャンバの中には転位スライダがスライドできるように設けられ、前記転位スライダと前記転位ばねチャンバの頂壁との間が転位捻りばねにより固定的に接続され、前記転位スライダの下端面には転位旋転ロッドが固定的に設けられ、前記転位旋転ロッドには上下転位板が固定的に設けられ、前記転位旋転ロッドの下端が前記動力チャンバの中まで伸びており、前記動力チャンバの中には前記転位旋転ロッドの外周面に固定的に接続される転位中間接続ロッドが設けられ、前記転位中間接続ロッドの下端面には第一吊り天井接続ロッドが固定的に設けられ、前記第一吊り天井接続ロッドの下端が前記第一吊り天井板と固定的に接続される；
他に、前記定位機構は前記動力チャンバの左壁に固定的に設置される後定位板を含み、前記後定位板が前記モータの後側に位置し、前記動力チャンバの左壁には定位板接続ロッドが固定的に設けられ、前記定位板接続ロッドの右端には前記前定位板が固定的に設けられることを特徴とする請求項１に記載の多機能LED照明器具。
【請求項５】
前記LEDライト張出装置は前記LED取付箱の中に設置される前記ランプ収納チャンバを含み、前記ランプ収納チャンバが前記動力チャンバの右側に位置し、前記ランプ収納チャンバが下に開口し、前記ランプ収納チャンバが前記動力チャンバと連通し、前記ランプ収納チャンバの左壁には張出伝動軸が回転できるように設けられ、前記張出伝動軸の左端が前記動力チャンバの中まで伸びており、前記動力チャンバの中には前記張出伝動軸の左端に固定的に接続される張出副ベベルギヤが設けられ、前記張出副ベベルギヤが前記切換伝動ベベルギヤと噛み合い、前記ランプ収納チャンバの中には前記張出伝動軸の右端に固定的に接続される張出主ベベルギヤが設けられ、前記ランプ収納チャンバの頂壁には張出ネジ山スリーブが回転できるように設けられ、前記張出ネジ山スリーブの外周面には張出ベベルギヤが固定的に設けられ、前記張出ベベルギヤが前記張出主ベベルギヤと噛み合い、前記張出ネジ山スリーブの中には下に開口したネジ山チャンバが設けられ、前記ネジ山チャンバの中には張出リードスクリューがネジ山により接続され、前記張出リードスクリューの下端には前記第二吊り天井板が固定的に設けられ、前記第二吊り天井板の上端面には左右対称のストッパーが固定的に設けられ、前記ランプ収納チャンバの右壁の中には左に開口したLEDライト変位スライド溝が設けられ、前記LEDライト変位スライド溝の中にはライト変位スライダがスライドできるように設けられ、右側の前記ストッパーの右端と前記ライト変位スライダの左端面とが固定的に接続され、前記第二吊り天井板の下端面にはLEDランプベースが固定的に設けられ、前記LEDランプベースの下端には前記LEDランプが装着されることを特徴とする請求項１に記載の多機能LED照明器具。
【発明の詳細な説明】
【技術分野】
【０００１】
本発明は照明器具技術分野を取り上げて、具体的には多機能LED照明器具である。
【背景技術】
【０００２】
LED（Light Emitting Diode）発光ダイオードは、電気エネルギーを可視光線に変換できる固態の半導体素子であり、電気を直接に光に変換することができ、またLEDが完全にエポキシ樹脂の中に封止されるので、従来のLED蛍光灯より硬く、これらの特徴によりLEDが壊れにくいと言えるので、人々に好まれており、人々の生活レベルの向上につれて、美的センスも高くなり、従来の LED照明器具は一般的に天井に取り付け、部屋の面積が小さいと狭く感じられ、部屋全体の美観を破壊することもあり、上記の欠点について、本発明は改良した。 
【先行技術文献】
【特許文献】
【０００３】
【特許文献１】中国特許出願公開第107883352号明細書
【発明の概要】
【発明が解決しようとする課題】
【０００４】
本発明は多機能LED照明器具を提供し、従来技術における上記欠点を解消することを目的とする。
【課題を解決するための手段】
【０００５】
上記の目的を実現するために、本発明は以下の技術プランを提供する：多機能LED照明器具は、LED取付箱と前記LED取付箱の中に設置される動力チャンバを含み、前記LED取付箱が壁と第一吊り天井板との間の中間チャンバの中に設置され、前記動力チャンバの中には動力装置が設けられ、前記動力装置が正方向と逆方向に回転できるモータを含み、前記動力チャンバの中には切換装置が設けられ、前記切換装置がカムを含み、前記切換装置が前記動力装置と伝動できるように接続され、前記動力チャンバの中には吊り天井板転位装置が設けられ、前記吊り天井板転位装置が前記切換装置の中の前記カムと係合され、前記吊り天井板転位装置の中には定位機構が設けられ、前記LED取付箱の中にはランプ収納チャンバが設けられ、前記ランプ収納チャンバの中にはLEDライト張出装置が設けられ、前記LEDライト張出装置が前記切換装置と伝動できるように接続され、前記LEDライト張出装置が第二吊り天井板を含み、前記LEDライト張出装置の中にはLEDランプが装着され、前記LEDランプを取り替えることにより、異なる需要に対応できる。
【０００６】
上記本発明の技術プランの更の改良としては、前記動力装置は前記LED取付箱の中に設置される前記動力チャンバを含み、前記動力チャンバが下に開口し、前記動力チャンバの左壁には前記モータが固定的に設けられ、前記モータの上端には動力軸が動力が伝達できるように接続され、前記動力軸の上端が前記動力チャンバの頂壁と回転できるように係合され、前記動力軸には動力ギヤが固定的に設けられ、前記動力軸には前記動力ギヤの下側に位置する扇形ベベルギヤが固定的に設けられる。
【０００７】
上記本発明の技術プランの更の改良としては、前記切換装置は前記動力チャンバの後壁に固定的に設置されるカム軸固定ブロックを含み、前記カム軸固定ブロックの中にはカム軸が左右に貫通して回転できるように設けられ、前記カム軸の左端にはカム伝動ベベルギヤが固定的に設けられ、前記カム軸の右端には前記カムが固定的に設けられ、前記動力チャンバの後壁には前記カム軸固定ブロックの上側に位置する軸変位固定板が固定的に設けられ、前記軸変位固定板の右端面には右に開口した軸変位スライダスライド溝が設けられ、前記軸変位スライダスライド溝の中には軸変位スライダがスライドできるように設けられ、前記軸変位スライダの上端面と前記軸変位スライダスライド溝の頂壁との間がスライダ復帰ばねにより固定的に接続され、前記軸変位スライダの右端面には軸固定板が固定的に設けられ、前記軸固定板の中には切換軸が回転できるように設けられ、前記切換軸の上端には切換ギヤが固定的に設けられ、前記切換軸の下端には軸変位頂板が回転できるように設けられ、前記軸変位頂板の下端面が前記カムの上端面と当接し、前記動力チャンバの頂壁には前記切換軸の右側に位置する中間伝動軸が回転できるように設けられ、前記中間伝動軸には中間回転ギヤが固定的に設けられ、前記中間伝動軸の下端には切換伝動ベベルギヤが固定的に設けられ、前記切換伝動ベベルギヤの下端面の中には下に開口した摩擦伝動孔が設けられる。
【０００８】
上記本発明の技術プランの更の改良としては、前記吊り天井板転位装置は前記動力チャンバの後壁に固定的に設置される摩擦伝動軸固定ブロックを含み、前記摩擦伝動軸固定ブロックの中には摩擦伝動軸が上下に貫通して回転できるように設けられ、前記摩擦伝動軸の上側が前記摩擦伝動孔と摩擦により係合され、前記摩擦伝動軸の下端には転位ばね箱が固定的に設けられ、前記転位ばね箱の中には下に開口した転位ばねチャンバが設けられ、前記転位ばねチャンバの中には転位スライダがスライドできるように設けられ、前記転位スライダと前記転位ばねチャンバの頂壁との間が転位捻りばねにより固定的に接続され、前記転位スライダの下端面には転位旋転ロッドが固定的に設けられ、前記転位旋転ロッドには上下転位板が固定的に設けられ、前記転位旋転ロッドの下端が前記動力チャンバの中まで伸びており、前記動力チャンバの中には前記転位旋転ロッドの外周面に固定的に接続される転位中間接続ロッドが設けられ、前記転位中間接続ロッドの下端面には第一吊り天井接続ロッドが固定的に設けられ、前記第一吊り天井接続ロッドの下端が前記第一吊り天井板と固定的に接続される；
【０００９】
他に、前記定位機構は前記動力チャンバの左壁に固定的に設置される後定位板を含み、前記後定位板が前記モータの後側に位置し、前記動力チャンバの左壁には定位板接続ロッドが固定的に設けられ、前記定位板接続ロッドの右端には前記前定位板が固定的に設けられる。
【００１０】
上記本発明の技術プランの更の改良としては、前記LEDライト張出装置は前記LED取付箱の中に設置される前記ランプ収納チャンバを含み、前記ランプ収納チャンバが前記動力チャンバの右側に位置し、前記ランプ収納チャンバが下に開口し、前記ランプ収納チャンバが前記動力チャンバと連通し、前記ランプ収納チャンバの左壁には張出伝動軸が回転できるように設けられ、前記張出伝動軸の左端が前記動力チャンバの中まで伸びており、前記動力チャンバの中には前記張出伝動軸の左端に固定的に接続される張出副ベベルギヤが設けられ、前記張出副ベベルギヤが前記切換伝動ベベルギヤと噛み合い、前記ランプ収納チャンバの中には前記張出伝動軸の右端に固定的に接続される張出主ベベルギヤが設けられ、前記ランプ収納チャンバの頂壁には張出ネジ山スリーブが回転できるように設けられ、前記張出ネジ山スリーブの外周面には張出ベベルギヤが固定的に設けられ、前記張出ベベルギヤが前記張出主ベベルギヤと噛み合い、前記張出ネジ山スリーブの中には下に開口したネジ山チャンバが設けられ、前記ネジ山チャンバの中には張出リードスクリューがネジ山により接続され、前記張出リードスクリューの下端には前記第二吊り天井板が固定的に設けられ、前記第二吊り天井板の上端面には左右対称のストッパーが固定的に設けられ、前記ランプ収納チャンバの右壁の中には左に開口したLEDライト変位スライド溝が設けられ、前記LEDライト変位スライド溝の中にはライト変位スライダがスライドできるように設けられ、右側の前記ストッパーの右端と前記ライト変位スライダの左端面とが固定的に接続され、前記第二吊り天井板の下端面にはLEDランプベースが固定的に設けられ、前記LEDランプベースの下端には前記LEDランプが装着される。
【発明の効果】
【００１１】
以上により、本発明は構成が簡単で、操作が便利で、本装置を使用する時、本装置を屋根と天井との間の隙に取り付け、LED照明器具を使用しない時、本装置は自動的に収納でき、部屋にあるスペースを取らなく、使用する時は始動して自動的に張り出すことができ、照明器具により部屋全体の美観を損ねることを防止する。
【図面の簡単な説明】
【００１２】
以下に図１〜4を交えて本発明について詳しく説明する。便利に叙述するために、現在は後文に出る方位を下記の通りに規定する：後文に出る上下左右前後方向は図1本体の投影関係の上下左右前後方向と一致する。
【００１３】
【図１】図1は本発明の多機能LED照明器具の全体構成模式図である；
【図２】図2は図1の中のA-Aにおける構成模式図である；
【図３】図3は図1の中のBにおける構成模式図である；
【図４】図4は図1の中のC-Cにおける構成模式図である。
【発明を実施するための形態】
【００１４】
本発明書に開示した全ての特徴、或いは開示した全ての方法、過程中のステップは、互いに排斥する特徴或いはステップ以外に、いかなる方式で組み合わせることができる。
【００１５】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１６】
図１〜4が示すように、本発明装置の多機能LED照明器具は、LED取付箱10と前記LED取付箱10の中に設置される動力チャンバ47を含み、前記LED取付箱10が壁37と第一吊り天井板54との間の中間チャンバ38の中に設置され、前記動力チャンバ47の中には動力装置が設けられ、前記動力装置が正方向と逆方向に回転できるモータ48を含み、前記動力チャンバ47の中には切換装置が設けられ、前記切換装置がカム56を含み、前記切換装置が前記動力装置と伝動できるように接続され、前記動力チャンバ47の中には吊り天井板転位装置が設けられ、前記吊り天井板転位装置が前記切換装置の中の前記カム56と係合され、前記吊り天井板転位装置の中には定位機構が設けられ、前記LED取付箱10の中にはランプ収納チャンバ14が設けられ、前記ランプ収納チャンバ14の中にはLEDライト張出装置が設けられ、前記LEDライト張出装置が前記切換装置と伝動できるように接続され、前記LEDライト張出装置が第二吊り天井板18を含み、前記LEDライト張出装置の中にはLEDランプ19が装着され、前記LEDランプ19を取り替えることにより、異なる需要に対応できる。
【００１７】
有益的には、前記動力装置は前記LED取付箱10の中に設置される前記動力チャンバ47を含み、前記動力チャンバ47が下に開口し、前記動力チャンバ47の左壁には前記モータ48が固定的に設けられ、前記モータ48の上端には動力軸46が動力が伝達できるように接続され、前記動力軸46の上端が前記動力チャンバ47の頂壁と回転できるように係合され、前記動力軸46には動力ギヤ39が固定的に設けられ、前記動力軸46には前記動力ギヤ39の下側に位置する扇形ベベルギヤ44が固定的に設けられる。
【００１８】
有益的には、前記切換装置は前記動力チャンバ47の後壁に固定的に設置されるカム軸固定ブロック29を含み、前記カム軸固定ブロック29の中にはカム軸28が左右に貫通して回転できるように設けられ、前記カム軸28の左端にはカム伝動ベベルギヤ45が固定的に設けられ、前記カム軸28の右端には前記カム56が固定的に設けられ、前記動力チャンバ47の後壁には前記カム軸固定ブロック29の上側に位置する軸変位固定板41が固定的に設けられ、前記軸変位固定板41の右端面には右に開口した軸変位スライダスライド溝40が設けられ、前記軸変位スライダスライド溝40の中には軸変位スライダ27がスライドできるように設けられ、前記軸変位スライダ27の上端面と前記軸変位スライダスライド溝40の頂壁との間がスライダ復帰ばね42により固定的に接続され、前記軸変位スライダ27の右端面には軸固定板26が固定的に設けられ、前記軸固定板26の中には切換軸57が回転できるように設けられ、前記切換軸57の上端には切換ギヤ36が固定的に設けられ、前記切換軸57の下端には軸変位頂板43が回転できるように設けられ、前記軸変位頂板43の下端面が前記カム56の上端面と当接し、前記動力チャンバ47の頂壁には前記切換軸57の右側に位置する中間伝動軸34が回転できるように設けられ、前記中間伝動軸34には中間回転ギヤ35が固定的に設けられ、前記中間伝動軸34の下端には切換伝動ベベルギヤ33が固定的に設けられ、前記切換伝動ベベルギヤ33の下端面の中には下に開口した摩擦伝動孔58が設けられる。
【００１９】
有益的には、前記吊り天井板転位装置は前記動力チャンバ47の後壁に固定的に設置される摩擦伝動軸固定ブロック59を含み、前記摩擦伝動軸固定ブロック59の中には摩擦伝動軸25が上下に貫通して回転できるように設けられ、前記摩擦伝動軸25の上側が前記摩擦伝動孔58と摩擦により係合され、前記摩擦伝動軸25の下端には転位ばね箱21が固定的に設けられ、前記転位ばね箱21の中には下に開口した転位ばねチャンバ23が設けられ、前記転位ばねチャンバ23の中には転位スライダ22がスライドできるように設けられ、前記転位スライダ22と前記転位ばねチャンバ23の頂壁との間が転位捻りばね24により固定的に接続され、前記転位スライダ22の下端面には転位旋転ロッド51が固定的に設けられ、前記転位旋転ロッド51には上下転位板20が固定的に設けられ、前記転位旋転ロッド51の下端が前記動力チャンバ47の中まで伸びており、前記動力チャンバ47の中には前記転位旋転ロッド51の外周面に固定的に接続される転位中間接続ロッド53が設けられ、前記転位中間接続ロッド53の下端面には第一吊り天井接続ロッド55が固定的に設けられ、前記第一吊り天井接続ロッド55の下端が前記第一吊り天井板54と固定的に接続される；
【００２０】
他に、前記定位機構は前記動力チャンバ47の左壁に固定的に設置される後定位板50を含み、前記後定位板50が前記モータ48の後側に位置し、前記動力チャンバ47の左壁には定位板接続ロッド49が固定的に設けられ、前記定位板接続ロッド49の右端には前記前定位板52が固定的に設けられる。
【００２１】
有益的には、前記LEDライト張出装置は前記LED取付箱10の中に設置される前記ランプ収納チャンバ14を含み、前記ランプ収納チャンバ14が前記動力チャンバ47の右側に位置し、前記ランプ収納チャンバ14が下に開口し、前記ランプ収納チャンバ14が前記動力チャンバ47と連通し、前記ランプ収納チャンバ14の左壁には張出伝動軸32が回転できるように設けられ、前記張出伝動軸32の左端が前記動力チャンバ47の中まで伸びており、前記動力チャンバ47の中には前記張出伝動軸32の左端に固定的に接続される張出副ベベルギヤ60が設けられ、前記張出副ベベルギヤ60が前記切換伝動ベベルギヤ33と噛み合い、前記ランプ収納チャンバ14の中には前記張出伝動軸32の右端に固定的に接続される張出主ベベルギヤ31が設けられ、前記ランプ収納チャンバ14の頂壁には張出ネジ山スリーブ30が回転できるように設けられ、前記張出ネジ山スリーブ30の外周面には張出ベベルギヤ15が固定的に設けられ、前記張出ベベルギヤ15が前記張出主ベベルギヤ31と噛み合い、前記張出ネジ山スリーブ30の中には下に開口したネジ山チャンバ16が設けられ、前記ネジ山チャンバ16の中には張出リードスクリュー17がネジ山により接続され、前記張出リードスクリュー17の下端には前記第二吊り天井板18が固定的に設けられ、前記第二吊り天井板18の上端面には左右対称のストッパー12が固定的に設けられ、前記ランプ収納チャンバ14の右壁の中には左に開口したLEDライト変位スライド溝11が設けられ、前記LEDライト変位スライド溝11の中にはライト変位スライダ13がスライドできるように設けられ、右側の前記ストッパー12の右端と前記ライト変位スライダ13の左端面とが固定的に接続され、前記第二吊り天井板18の下端面にはLEDランプベース61が固定的に設けられ、前記LEDランプベース61の下端には前記LEDランプ19が装着される。
【００２２】
本発明の実施例の目的、技術プランとメリットをもっと明確にするために、以下は本発明実施例の中の技術プランを結合して明確に説明する：
【００２３】
初期状態において、前記転位捻りばね24が圧縮状態にあり、前記転位中間接続ロッド53の前端面が前記前定位板52の後端面と当接し、前記動力ギヤ39と、前記切換ギヤ36と、前記中間回転ギヤ35とが噛み合っていなく、前記カム56が前記上下転位板20を一番低い点まで押圧する。
【００２４】
使用する時、前記モータ48を始動して正方向に回転させ、前記モータ48が前記動力軸46により前記扇形ベベルギヤ44を連動させて前記カム伝動ベベルギヤ45と噛み合わせ、前記カム伝動ベベルギヤ45が前記カム軸28により前記カム56を連動させて回転させ、前記カム56が回転して前記軸変位頂板43を押圧し、前記転位捻りばね24の復帰の作用のもとで前記転位旋転ロッド51を連動させて上へ移動させ、前記転位旋転ロッド51が前記転位中間接続ロッド53と前記第一吊り天井接続ロッド55により前記第一吊り天井板54を連動させて上へ移動させ、前記扇形ベベルギヤ44が前記カム伝動ベベルギヤ45との噛み合いから離脱し、この時、前記軸変位頂板43が前記切換軸57により前記切換ギヤ36を連動させて上へ移動させ、前記切換ギヤ36が前記動力ギヤ39と前記中間回転ギヤ35と噛み合い、前記動力軸46が前記動力ギヤ39と、前記切換ギヤ36と前記中間回転ギヤ35により前記中間伝動軸34を連動させて回転させ、前記中間伝動軸34が前記切換伝動ベベルギヤ33と前記摩擦伝動孔58により前記摩擦伝動軸25を連動させて回転させ、前記摩擦伝動軸25が前記転位ばね箱21と、前記転位旋転ロッド51と、前記転位中間接続ロッド53と前記第一吊り天井接続ロッド55により前記第一吊り天井板54を連動させて後ろへ回転させ、前記転位中間接続ロッド53の後端面が前記後定位板50の右端面と当接する時に前記第一吊り天井板54が回転を停止し、前記切換伝動ベベルギヤ33が前記張出副ベベルギヤ60と、前記張出伝動軸32と前記張出主ベベルギヤ31により前記張出ベベルギヤ15を連動させて回転させ、前記張出ベベルギヤ15が前記張出ネジ山スリーブ30を連動させて回転させ、前記張出ネジ山スリーブ30が回転して前記張出リードスクリュー17を下へ移動させ、前記張出リードスクリュー17が前記第二吊り天井板18と前記LEDランプベース61により前記LEDランプ19を連動させて下降させ、前記第一吊り天井板54の初期位置まで前記第二吊り天井板18が下降する時、前記モータ48が停止し、これによりLEDランプ19の張り出しを実現する；
【００２５】
収納する時、前記モータ48を始動して逆方向に回転させ、これにより装置全体を復帰させて収納を完成する。
【００２６】
以上により、本発明は構成が簡単で、操作が便利で、本装置を使用する時、本装置を屋根と天井との間の隙に取り付け、LED照明器具を使用しない時、本装置は自動的に収納でき、部屋にあるスペースを取らなく、使用する時は始動して自動的に張り出すことができ、照明器具により部屋全体の美観を損ねることを防止する。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020149958.tif 000003
【図２】
2020149958.tif 000004
【図３】
2020149958.tif 000005
【図４】
2020149958.tif 000006
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
LED取付箱と前記LED取付箱の中に設置される動力チャンバを含み、前記LED取付箱が壁と第一吊り天井板との間の中間チャンバの中に設置され、前記動力チャンバの中には動力装置が設けられ、前記動力装置が正方向と逆方向に回転できるモータを含み、前記動力チャンバの中には切換装置が設けられ、前記切換装置がカムを含み、前記切換装置が前記動力装置と伝動できるように接続され、前記動力チャンバの中には吊り天井板転位装置が設けられ、前記吊り天井板転位装置が前記切換装置の中の前記カムと係合され、前記吊り天井板転位装置の中には定位機構が設けられ、前記LED取付箱の中にはランプ収納チャンバが設けられ、前記ランプ収納チャンバの中にはLEDライト張出装置が設けられ、前記LEDライト張出装置が前記切換装置と伝動できるように接続され、前記LEDライト張出装置が第二吊り天井板を含み、前記LEDライト張出装置の中にはLEDランプが装着され、前記LEDランプを取り替えることにより、異なる需要に対応でき、
前記動力装置は前記LED取付箱の中に設置される前記動力チャンバを含み、前記動力チャンバが下に開口し、前記動力チャンバの左壁には前記モータが固定的に設けられ、前記モータの上端には動力軸が動力が伝達できるように接続され、前記動力軸の上端が前記動力チャンバの頂壁と回転できるように係合され、前記動力軸には動力ギヤが固定的に設けられ、前記動力軸には前記動力ギヤの下側に位置する扇形ベベルギヤが固定的に設けられ、
前記切換装置は前記動力チャンバの後壁に固定的に設置されるカム軸固定ブロックを含み、前記カム軸固定ブロックの中にはカム軸が左右に貫通して回転できるように設けられ、前記カム軸の左端にはカム伝動ベベルギヤが固定的に設けられ、前記カム軸の右端には前記カムが固定的に設けられ、前記動力チャンバの後壁には前記カム軸固定ブロックの上側に位置する軸変位固定板が固定的に設けられ、前記軸変位固定板の右端面には右に開口した軸変位スライダスライド溝が設けられ、前記軸変位スライダスライド溝の中には軸変位スライダがスライドできるように設けられ、前記軸変位スライダの上端面と前記軸変位スライダスライド溝の頂壁との間がスライダ復帰ばねにより固定的に接続され、前記軸変位スライダの右端面には軸固定板が固定的に設けられ、前記軸固定板の中には切換軸が回転できるように設けられ、前記切換軸の上端には切換ギヤが固定的に設けられ、前記切換軸の下端には軸変位頂板が回転できるように設けられ、前記軸変位頂板の下端面が前記カムの上端面と当接し、前記動力チャンバの頂壁には前記切換軸の右側に位置する中間伝動軸が回転できるように設けられ、前記中間伝動軸には中間回転ギヤが固定的に設けられ、前記中間伝動軸の下端には切換伝動ベベルギヤが固定的に設けられ、前記切換伝動ベベルギヤの下端面の中には下に開口した摩擦伝動孔が設けられ、
前記吊り天井板転位装置は前記動力チャンバの後壁に固定的に設置される摩擦伝動軸固定ブロックを含み、前記摩擦伝動軸固定ブロックの中には摩擦伝動軸が上下に貫通して回転できるように設けられ、前記摩擦伝動軸の上側が前記摩擦伝動孔と摩擦により係合され、前記摩擦伝動軸の下端には転位ばね箱が固定的に設けられ、前記転位ばね箱の中には下に開口した転位ばねチャンバが設けられ、前記転位ばねチャンバの中には転位スライダがスライドできるように設けられ、前記転位スライダと前記転位ばねチャンバの頂壁との間が転位捻りばねにより固定的に接続され、前記転位スライダの下端面には転位旋転ロッドが固定的に設けられ、前記転位旋転ロッドには上下転位板が固定的に設けられ、前記転位旋転ロッドの下端が前記動力チャンバの中まで伸びており、前記動力チャンバの中には前記転位旋転ロッドの外周面に固定的に接続される転位中間接続ロッドが設けられ、前記転位中間接続ロッドの下端面には第一吊り天井接続ロッドが固定的に設けられ、前記第一吊り天井接続ロッドの下端が前記第一吊り天井板と固定的に接続され、
他に、前記定位機構は前記動力チャンバの左壁に固定的に設置される後定位板を含み、前記後定位板が前記モータの後側に位置し、前記動力チャンバの左壁には定位板接続ロッドが固定的に設けられ、前記定位板接続ロッドの右端には前定位板が固定的に設けられ、
前記LEDライト張出装置は前記LED取付箱の中に設置される前記ランプ収納チャンバを含み、前記ランプ収納チャンバが前記動力チャンバの右側に位置し、前記ランプ収納チャンバが下に開口し、前記ランプ収納チャンバが前記動力チャンバと連通し、前記ランプ収納チャンバの左壁には張出伝動軸が回転できるように設けられ、前記張出伝動軸の左端が前記動力チャンバの中まで伸びており、前記動力チャンバの中には前記張出伝動軸の左端に固定的に接続される張出副ベベルギヤが設けられ、前記張出副ベベルギヤが前記切換伝動ベベルギヤと噛み合い、前記ランプ収納チャンバの中には前記張出伝動軸の右端に固定的に接続される張出主ベベルギヤが設けられ、前記ランプ収納チャンバの頂壁には張出ネジ山スリーブが回転できるように設けられ、前記張出ネジ山スリーブの外周面には張出ベベルギヤが固定的に設けられ、前記張出ベベルギヤが前記張出主ベベルギヤと噛み合い、前記張出ネジ山スリーブの中には下に開口したネジ山チャンバが設けられ、前記ネジ山チャンバの中には張出リードスクリューがネジ山により接続され、前記張出リードスクリューの下端には前記第二吊り天井板が固定的に設けられ、前記第二吊り天井板の上端面には左右対称のストッパーが固定的に設けられ、前記ランプ収納チャンバの右壁の中には左に開口したLEDライト変位スライド溝が設けられ、前記LEDライト変位スライド溝の中にはライト変位スライダがスライドできるように設けられ、右側の前記ストッパーの右端と前記ライト変位スライダの左端面とが固定的に接続され、前記第二吊り天井板の下端面にはLEDランプベースが固定的に設けられ、前記LEDランプベースの下端には前記LEDランプが装着されることを特徴とする多機能LED照明器具。
【手続補正２】
【補正対象書類名】明細書
【補正対象項目名】全文
【補正方法】変更
【補正の内容】
【発明の詳細な説明】
【技術分野】
【０００１】
本発明は照明器具技術分野を取り上げて、具体的には多機能LED照明器具である。
【背景技術】
【０００２】
LED（Light Emitting Diode）発光ダイオードは、電気エネルギーを可視光線に変換できる固態の半導体素子であり、電気を直接に光に変換することができ、またLEDが完全にエポキシ樹脂の中に封止されるので、従来のLED蛍光灯より硬く、これらの特徴によりLEDが壊れにくいと言えるので、人々に好まれており、人々の生活レベルの向上につれて、美的センスも高くなり、従来の LED照明器具は一般的に天井に取り付け、部屋の面積が小さいと狭く感じられ、部屋全体の美観を破壊することもあり、上記の欠点について、本発明は改良した。
【先行技術文献】
【特許文献】
【０００３】
【特許文献１】中国特許出願公開第107883352号明細書
【発明の概要】
【発明が解決しようとする課題】
【０００４】
本発明は多機能LED照明器具を提供し、従来技術における上記欠点を解消することを目的とする。
【課題を解決するための手段】
【０００５】
上記の目的を実現するために、本発明は以下の技術プランを提供する：多機能LED照明器具は、LED取付箱と前記LED取付箱の中に設置される動力チャンバを含み、前記LED取付箱が壁と第一吊り天井板との間の中間チャンバの中に設置され、前記動力チャンバの中には動力装置が設けられ、前記動力装置が正方向と逆方向に回転できるモータを含み、前記動力チャンバの中には切換装置が設けられ、前記切換装置がカムを含み、前記切換装置が前記動力装置と伝動できるように接続され、前記動力チャンバの中には吊り天井板転位装置が設けられ、前記吊り天井板転位装置が前記切換装置の中の前記カムと係合され、前記吊り天井板転位装置の中には定位機構が設けられ、前記LED取付箱の中にはランプ収納チャンバが設けられ、前記ランプ収納チャンバの中にはLEDライト張出装置が設けられ、前記LEDライト張出装置が前記切換装置と伝動できるように接続され、前記LEDライト張出装置が第二吊り天井板を含み、前記LEDライト張出装置の中にはLEDランプが装着され、前記LEDランプを取り替えることにより、異なる需要に対応できる。
【０００６】
上記本発明の技術プランの更の改良としては、前記動力装置は前記LED取付箱の中に設置される前記動力チャンバを含み、前記動力チャンバが下に開口し、前記動力チャンバの左壁には前記モータが固定的に設けられ、前記モータの上端には動力軸が動力が伝達できるように接続され、前記動力軸の上端が前記動力チャンバの頂壁と回転できるように係合され、前記動力軸には動力ギヤが固定的に設けられ、前記動力軸には前記動力ギヤの下側に位置する扇形ベベルギヤが固定的に設けられる。
【０００７】
上記本発明の技術プランの更の改良としては、前記切換装置は前記動力チャンバの後壁に固定的に設置されるカム軸固定ブロックを含み、前記カム軸固定ブロックの中にはカム軸が左右に貫通して回転できるように設けられ、前記カム軸の左端にはカム伝動ベベルギヤが固定的に設けられ、前記カム軸の右端には前記カムが固定的に設けられ、前記動力チャンバの後壁には前記カム軸固定ブロックの上側に位置する軸変位固定板が固定的に設けられ、前記軸変位固定板の右端面には右に開口した軸変位スライダスライド溝が設けられ、前記軸変位スライダスライド溝の中には軸変位スライダがスライドできるように設けられ、前記軸変位スライダの上端面と前記軸変位スライダスライド溝の頂壁との間がスライダ復帰ばねにより固定的に接続され、前記軸変位スライダの右端面には軸固定板が固定的に設けられ、前記軸固定板の中には切換軸が回転できるように設けられ、前記切換軸の上端には切換ギヤが固定的に設けられ、前記切換軸の下端には軸変位頂板が回転できるように設けられ、前記軸変位頂板の下端面が前記カムの上端面と当接し、前記動力チャンバの頂壁には前記切換軸の右側に位置する中間伝動軸が回転できるように設けられ、前記中間伝動軸には中間回転ギヤが固定的に設けられ、前記中間伝動軸の下端には切換伝動ベベルギヤが固定的に設けられ、前記切換伝動ベベルギヤの下端面の中には下に開口した摩擦伝動孔が設けられる。
【０００８】
上記本発明の技術プランの更の改良としては、前記吊り天井板転位装置は前記動力チャンバの後壁に固定的に設置される摩擦伝動軸固定ブロックを含み、前記摩擦伝動軸固定ブロックの中には摩擦伝動軸が上下に貫通して回転できるように設けられ、前記摩擦伝動軸の上側が前記摩擦伝動孔と摩擦により係合され、前記摩擦伝動軸の下端には転位ばね箱が固定的に設けられ、前記転位ばね箱の中には下に開口した転位ばねチャンバが設けられ、前記転位ばねチャンバの中には転位スライダがスライドできるように設けられ、前記転位スライダと前記転位ばねチャンバの頂壁との間が転位捻りばねにより固定的に接続され、前記転位スライダの下端面には転位旋転ロッドが固定的に設けられ、前記転位旋転ロッドには上下転位板が固定的に設けられ、前記転位旋転ロッドの下端が前記動力チャンバの中まで伸びており、前記動力チャンバの中には前記転位旋転ロッドの外周面に固定的に接続される転位中間接続ロッドが設けられ、前記転位中間接続ロッドの下端面には第一吊り天井接続ロッドが固定的に設けられ、前記第一吊り天井接続ロッドの下端が前記第一吊り天井板と固定的に接続され、
【０００９】
他に、前記定位機構は前記動力チャンバの左壁に固定的に設置される後定位板を含み、前記後定位板が前記モータの後側に位置し、前記動力チャンバの左壁には定位板接続ロッドが固定的に設けられ、前記定位板接続ロッドの右端には前定位板が固定的に設けられる。
【００１０】
上記本発明の技術プランの更の改良としては、前記LEDライト張出装置は前記LED取付箱の中に設置される前記ランプ収納チャンバを含み、前記ランプ収納チャンバが前記動力チャンバの右側に位置し、前記ランプ収納チャンバが下に開口し、前記ランプ収納チャンバが前記動力チャンバと連通し、前記ランプ収納チャンバの左壁には張出伝動軸が回転できるように設けられ、前記張出伝動軸の左端が前記動力チャンバの中まで伸びており、前記動力チャンバの中には前記張出伝動軸の左端に固定的に接続される張出副ベベルギヤが設けられ、前記張出副ベベルギヤが前記切換伝動ベベルギヤと噛み合い、前記ランプ収納チャンバの中には前記張出伝動軸の右端に固定的に接続される張出主ベベルギヤが設けられ、前記ランプ収納チャンバの頂壁には張出ネジ山スリーブが回転できるように設けられ、前記張出ネジ山スリーブの外周面には張出ベベルギヤが固定的に設けられ、前記張出ベベルギヤが前記張出主ベベルギヤと噛み合い、前記張出ネジ山スリーブの中には下に開口したネジ山チャンバが設けられ、前記ネジ山チャンバの中には張出リードスクリューがネジ山により接続され、前記張出リードスクリューの下端には前記第二吊り天井板が固定的に設けられ、前記第二吊り天井板の上端面には左右対称のストッパーが固定的に設けられ、前記ランプ収納チャンバの右壁の中には左に開口したLEDライト変位スライド溝が設けられ、前記LEDライト変位スライド溝の中にはライト変位スライダがスライドできるように設けられ、右側の前記ストッパーの右端と前記ライト変位スライダの左端面とが固定的に接続され、前記第二吊り天井板の下端面にはLEDランプベースが固定的に設けられ、前記LEDランプベースの下端には前記LEDランプが装着される。
【発明の効果】
【００１１】
以上により、本発明は構成が簡単で、操作が便利で、本装置を使用する時、本装置を屋根と天井との間の隙に取り付け、LED照明器具を使用しない時、本装置は自動的に収納でき、部屋にあるスペースを取らなく、使用する時は始動して自動的に張り出すことができ、照明器具により部屋全体の美観を損ねることを防止する。
【図面の簡単な説明】
【００１２】
以下に図１〜4を交えて本発明について詳しく説明する。本願に記載の各方向が、図１と同じ向きに装置を見た際の方向である。
【００１３】
【図１】図1は本発明の多機能LED照明器具の全体構成模式図
【図２】図2は図1の中のA-Aにおける構成模式図
【図３】図3は図1の中のBにおける構成模式図
【図４】図4は図1の中のC-Cにおける構成模式図
【発明を実施するための形態】
【００１４】
本発明書に開示した全ての特徴、或いは開示した全ての方法、過程中のステップは、互いに排斥する特徴或いはステップ以外に、いかなる方式で組み合わせることができる。
【００１５】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１６】
図１〜4が示すように、本発明装置の多機能LED照明器具は、LED取付箱10と前記LED取付箱10の中に設置される動力チャンバ47を含み、前記LED取付箱10が壁37と第一吊り天井板54との間の中間チャンバ38の中に設置され、前記動力チャンバ47の中には動力装置が設けられ、前記動力装置が正方向と逆方向に回転できるモータ48を含み、前記動力チャンバ47の中には切換装置が設けられ、前記切換装置がカム56を含み、前記切換装置が前記動力装置と伝動できるように接続され、前記動力チャンバ47の中には吊り天井板転位装置が設けられ、前記吊り天井板転位装置が前記切換装置の中の前記カム56と係合され、前記吊り天井板転位装置の中には定位機構が設けられ、前記LED取付箱10の中にはランプ収納チャンバ14が設けられ、前記ランプ収納チャンバ14の中にはLEDライト張出装置が設けられ、前記LEDライト張出装置が前記切換装置と伝動できるように接続され、前記LEDライト張出装置が第二吊り天井板18を含み、前記LEDライト張出装置の中にはLEDランプ19が装着され、前記LEDランプ19を取り替えることにより、異なる需要に対応できる。
【００１７】
有益的には、前記動力装置は前記LED取付箱10の中に設置される前記動力チャンバ47を含み、前記動力チャンバ47が下に開口し、前記動力チャンバ47の左壁には前記モータ48が固定的に設けられ、前記モータ48の上端には動力軸46が動力が伝達できるように接続され、前記動力軸46の上端が前記動力チャンバ47の頂壁と回転できるように係合され、前記動力軸46には動力ギヤ39が固定的に設けられ、前記動力軸46には前記動力ギヤ39の下側に位置する扇形ベベルギヤ44が固定的に設けられる。
【００１８】
有益的には、前記切換装置は前記動力チャンバ47の後壁に固定的に設置されるカム軸固定ブロック29を含み、前記カム軸固定ブロック29の中にはカム軸28が左右に貫通して回転できるように設けられ、前記カム軸28の左端にはカム伝動ベベルギヤ45が固定的に設けられ、前記カム軸28の右端には前記カム56が固定的に設けられ、前記動力チャンバ47の後壁には前記カム軸固定ブロック29の上側に位置する軸変位固定板41が固定的に設けられ、前記軸変位固定板41の右端面には右に開口した軸変位スライダスライド溝40が設けられ、前記軸変位スライダスライド溝40の中には軸変位スライダ27がスライドできるように設けられ、前記軸変位スライダ27の上端面と前記軸変位スライダスライド溝40の頂壁との間がスライダ復帰ばね42により固定的に接続され、前記軸変位スライダ27の右端面には軸固定板26が固定的に設けられ、前記軸固定板26の中には切換軸57が回転できるように設けられ、前記切換軸57の上端には切換ギヤ36が固定的に設けられ、前記切換軸57の下端には軸変位頂板43が回転できるように設けられ、前記軸変位頂板43の下端面が前記カム56の上端面と当接し、前記動力チャンバ47の頂壁には前記切換軸57の右側に位置する中間伝動軸34が回転できるように設けられ、前記中間伝動軸34には中間回転ギヤ35が固定的に設けられ、前記中間伝動軸34の下端には切換伝動ベベルギヤ33が固定的に設けられ、前記切換伝動ベベルギヤ33の下端面の中には下に開口した摩擦伝動孔58が設けられる。
【００１９】
有益的には、前記吊り天井板転位装置は前記動力チャンバ47の後壁に固定的に設置される摩擦伝動軸固定ブロック59を含み、前記摩擦伝動軸固定ブロック59の中には摩擦伝動軸25が上下に貫通して回転できるように設けられ、前記摩擦伝動軸25の上側が前記摩擦伝動孔58と摩擦により係合され、前記摩擦伝動軸25の下端には転位ばね箱21が固定的に設けられ、前記転位ばね箱21の中には下に開口した転位ばねチャンバ23が設けられ、前記転位ばねチャンバ23の中には転位スライダ22がスライドできるように設けられ、前記転位スライダ22と前記転位ばねチャンバ23の頂壁との間が転位捻りばね24により固定的に接続され、前記転位スライダ22の下端面には転位旋転ロッド51が固定的に設けられ、前記転位旋転ロッド51には上下転位板20が固定的に設けられ、前記転位旋転ロッド51の下端が前記動力チャンバ47の中まで伸びており、前記動力チャンバ47の中には前記転位旋転ロッド51の外周面に固定的に接続される転位中間接続ロッド53が設けられ、前記転位中間接続ロッド53の下端面には第一吊り天井接続ロッド55が固定的に設けられ、前記第一吊り天井接続ロッド55の下端が前記第一吊り天井板54と固定的に接続される。
【００２０】
他に、前記定位機構は前記動力チャンバ47の左壁に固定的に設置される後定位板50を含み、前記後定位板50が前記モータ48の後側に位置し、前記動力チャンバ47の左壁には定位板接続ロッド49が固定的に設けられ、前記定位板接続ロッド49の右端には前定位板52が固定的に設けられる。
【００２１】
有益的には、前記LEDライト張出装置は前記LED取付箱10の中に設置される前記ランプ収納チャンバ14を含み、前記ランプ収納チャンバ14が前記動力チャンバ47の右側に位置し、前記ランプ収納チャンバ14が下に開口し、前記ランプ収納チャンバ14が前記動力チャンバ47と連通し、前記ランプ収納チャンバ14の左壁には張出伝動軸32が回転できるように設けられ、前記張出伝動軸32の左端が前記動力チャンバ47の中まで伸びており、前記動力チャンバ47の中には前記張出伝動軸32の左端に固定的に接続される張出副ベベルギヤ60が設けられ、前記張出副ベベルギヤ60が前記切換伝動ベベルギヤ33と噛み合い、前記ランプ収納チャンバ14の中には前記張出伝動軸32の右端に固定的に接続される張出主ベベルギヤ31が設けられ、前記ランプ収納チャンバ14の頂壁には張出ネジ山スリーブ30が回転できるように設けられ、前記張出ネジ山スリーブ30の外周面には張出ベベルギヤ15が固定的に設けられ、前記張出ベベルギヤ15が前記張出主ベベルギヤ31と噛み合い、前記張出ネジ山スリーブ30の中には下に開口したネジ山チャンバ16が設けられ、前記ネジ山チャンバ16の中には張出リードスクリュー17がネジ山により接続され、前記張出リードスクリュー17の下端には前記第二吊り天井板18が固定的に設けられ、前記第二吊り天井板18の上端面には左右対称のストッパー12が固定的に設けられ、前記ランプ収納チャンバ14の右壁の中には左に開口したLEDライト変位スライド溝11が設けられ、前記LEDライト変位スライド溝11の中にはライト変位スライダ13がスライドできるように設けられ、右側の前記ストッパー12の右端と前記ライト変位スライダ13の左端面とが固定的に接続され、前記第二吊り天井板18の下端面にはLEDランプベース61が固定的に設けられ、前記LEDランプベース61の下端には前記LEDランプ19が装着される。
【００２２】
本発明の実施例の目的、技術プランとメリットをもっと明確にするために、以下は本発明実施例の中の技術プランを結合して明確に説明する：
【００２３】
初期状態において、前記転位捻りばね24が圧縮状態にあり、前記転位中間接続ロッド53の前端面が前記前定位板52の後端面と当接し、前記動力ギヤ39と、前記切換ギヤ36と、前記中間回転ギヤ35とが噛み合っていなく、前記カム56が前記上下転位板20を一番低い点まで押圧する。
【００２４】
使用する時、前記モータ48を始動して正方向に回転させ、前記モータ48が前記動力軸46により前記扇形ベベルギヤ44を連動させて前記カム伝動ベベルギヤ45と噛み合わせ、前記カム伝動ベベルギヤ45が前記カム軸28により前記カム56を連動させて回転させ、前記カム56が回転して前記軸変位頂板43を押圧し、前記転位捻りばね24の復帰の作用のもとで前記転位旋転ロッド51を連動させて上へ移動させ、前記転位旋転ロッド51が前記転位中間接続ロッド53と前記第一吊り天井接続ロッド55により前記第一吊り天井板54を連動させて上へ移動させ、前記扇形ベベルギヤ44が前記カム伝動ベベルギヤ45との噛み合いから離脱し、この時、前記軸変位頂板43が前記切換軸57により前記切換ギヤ36を連動させて上へ移動させ、前記切換ギヤ36が前記動力ギヤ39と前記中間回転ギヤ35と噛み合い、前記動力軸46が前記動力ギヤ39と、前記切換ギヤ36と前記中間回転ギヤ35により前記中間伝動軸34を連動させて回転させ、前記中間伝動軸34が前記切換伝動ベベルギヤ33と前記摩擦伝動孔58により前記摩擦伝動軸25を連動させて回転させ、前記摩擦伝動軸25が前記転位ばね箱21と、前記転位旋転ロッド51と、前記転位中間接続ロッド53と前記第一吊り天井接続ロッド55により前記第一吊り天井板54を連動させて後ろへ回転させ、前記転位中間接続ロッド53の後端面が前記後定位板50の右端面と当接する時に前記第一吊り天井板54が回転を停止し、前記切換伝動ベベルギヤ33が前記張出副ベベルギヤ60と、前記張出伝動軸32と前記張出主ベベルギヤ31により前記張出ベベルギヤ15を連動させて回転させ、前記張出ベベルギヤ15が前記張出ネジ山スリーブ30を連動させて回転させ、前記張出ネジ山スリーブ30が回転して前記張出リードスクリュー17を下へ移動させ、前記張出リードスクリュー17が前記第二吊り天井板18と前記LEDランプベース61により前記LEDランプ19を連動させて下降させ、前記第一吊り天井板54の初期位置まで前記第二吊り天井板18が下降する時、前記モータ48が停止し、これによりLEDランプ19の張り出しを実現する。
【００２５】
収納する時、前記モータ48を始動して逆方向に回転させ、これにより装置全体を復帰させて収納を完成する。
【００２６】
以上により、本発明は構成が簡単で、操作が便利で、本装置を使用する時、本装置を屋根と天井との間の隙に取り付け、LED照明器具を使用しない時、本装置は自動的に収納でき、部屋にあるスペースを取らなく、使用する時は始動して自動的に張り出すことができ、照明器具により部屋全体の美観を損ねることを防止する。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。